(57)【要約】【課題】注目画素の処理後のデータを得るのに周辺画素のデータを必要とする信号処理を行うことができるとともに、信号処理装置の回路規模およびコストを低減できるようにする。【解決手段】高解像度用として、高解像度対応の前段処理部２０、画素選択部３１、画素選択信号発生部３２および低解像度対応の後段処理部４０からなる信号処理ＬＳＩを複数、入力画像データに対して並列に設ける。前段処理部２０では、周辺画素データを必要とする信号処理を行い、後段処理部４０では、周辺画素データを必要としない信号処理を行う。それぞれの信号処理ＬＳＩの画素選択部３１では、互いに相補的に、前段処理部２０の出力画像データ中の一部の画素データを周期的に抽出し、後段処理部４０で処理した後、切り替え回路５０で合成する。低解像度用としては、一つの信号処理ＬＳＩを用い、その画素選択部３１では全ての画素データを抽出する。【選択図】        図３
2005006048.tif 000002
【特許請求の範囲】
【請求項１】
入力画像データに対して、注目画素の処理後のデータを得るのに周辺画素のデータを必要とする第１種の信号処理を行うことができる前段処理部と、
この前段処理部の出力画像データ中の、一部の画素データを選択的に抽出し得る画素選択部と、
この画素選択部の出力画像データに対して、注目画素の処理後のデータを得るのに周辺画素のデータを必要としない第２種の信号処理を行うことができる後段処理部と、
を備える信号処理装置。
【請求項２】
半導体集積回路として構成された請求項１に記載の信号処理装置。
【請求項３】
請求項１または２に記載の信号処理装置を、それぞれ信号処理装置部として複数、入力画像データに対して並列に備え、
それぞれの信号処理装置部の前記画素選択部において、互いに相補的に、前記前段処理部の出力画像データ中の一部の画素データが周期的に抽出され、
それぞれの信号処理装置部の前記後段処理部の出力画像データが、切り替え合成されて、信号処理後の出力画像データとして取り出される信号処理装置。
【請求項４】
請求項１または２に記載の信号処理装置を、それぞれ信号処理装置部として複数、入力画像データに対して並列に備え、
入力画像データが相対的に低解像度の画像データであるときには、いずれかの信号処理装置部の前記画素選択部において、前記前段処理部の出力画像データ中の全ての画素データが抽出されて、その信号処理装置部の前記後段処理部の出力画像データが、信号処理後の出力画像データとして取り出され、
入力画像データが相対的に高解像度の画像データであるときには、それぞれの信号処理装置部の前記画素選択部において、互いに相補的に、前記前段処理部の出力画像データ中の一部の画素データが周期的に抽出され、それぞれの信号処理装置部の前記後段処理部の出力画像データが、切り替え合成されて、信号処理後の出力画像データとして取り出される信号処理装置。
【請求項５】
請求項１〜４のいずれかに記載の信号処理装置を備える画像表示装置。
【請求項６】
請求項１または２に記載の信号処理装置を、それぞれ信号処理装置部として複数、入力画像データに対して並列に設け、
それぞれの信号処理装置部の前記画素選択部において、互いに相補的に、前記前段処理部の出力画像データ中の一部の画素データを周期的に抽出し、
それぞれの信号処理装置部の前記後段処理部の出力画像データを、切り替え合成して、信号処理後の出力画像データとして取り出す信号処理方法。
【請求項７】
請求項１または２に記載の信号処理装置を、それぞれ信号処理装置部として複数、入力画像データに対して並列に設け、
入力画像データが相対的に低解像度の画像データであるときには、いずれかの信号処理装置部の前記画素選択部において、前記前段処理部の出力画像データ中の全ての画素データを抽出して、その信号処理装置部の前記後段処理部の出力画像データを、信号処理後の出力画像データとして取り出し、
入力画像データが相対的に高解像度の画像データであるときには、それぞれの信号処理装置部の前記画素選択部において、互いに相補的に、前記前段処理部の出力画像データ中の一部の画素データを周期的に抽出し、それぞれの信号処理装置部の前記後段処理部の出力画像データを、切り替え合成して、信号処理後の出力画像データとして取り出す信号処理方法。
【発明の詳細な説明】
【０００１】
【発明の属する技術分野】
この発明は、画像データを処理する信号処理装置および信号処理方法、および、その信号処理装置を備える画像表示装置に関する。
【０００２】
【従来の技術】
現在、動画の信号源は、ＳＤＴＶ（Ｓｔａｎｄａｒｄ  ＤｅｆｉｎｉｔｉｏｎＴｅｌｅｖｉｓｉｏｎ）放送やＨＤＴＶ（Ｈｉｇｈ  Ｄｅｆｉｎｉｔｉｏｎ  Ｔｅｌｅｖｉｓｉｏｎ）放送が主となり、画像表示装置としても、ＣＲＴディスプレイ、液晶ディスプレイ、プラズマディスプレイなど、様々な解像度に適応した信号処理が要求される。
【０００３】
撮像装置として、特許文献１（特開平７−２４０８６９号公報）には、通常の動画モードでは、撮像光学系と撮像素子を変位させず、補色フィルタを介して得られた各色の信号を補間しないで出力し、高解像度静止画モードでは、撮像光学系と撮像素子を画素単位で相対的に変位させ、補色フィルタを介して得られた各色の信号を補間して出力する方法が示されている。
【０００４】
しかし、画像表示装置などで、信号源から得られた高解像度または低解像度の画像データに対して、水平または垂直のシャープネス（輪郭強調ないし輪郭補正）、ゲイン調整、バイアス調整などの信号処理を行う方法としては、従来、図８に示すような高解像度用の信号処理装置、および図９に示すような低解像度用の信号処理装置を、個別に用意し、それぞれ対応する機器に組み込む方法が採られている。
【０００５】
図８および図９の例は、信号処理装置がＬＳＩ（大規模集積回路）として構成された場合で、高解像度用の信号処理ＬＳＩ６０は、信号処理部６１において、必要に応じて画像メモリ６２を用いて、高解像度の入力画像データを処理するものであり、低解像度用の信号処理ＬＳＩ７０は、信号処理部７１において、必要に応じて画像メモリ７２を用いて、低解像度の入力画像データを処理するものである。
【０００６】
しかし、このように高解像度用の信号処理装置と低解像度用の信号処理装置を個別に用意し、機器に応じて使い分ける方法では、信号処理装置、例えば信号処理ＬＳＩの、開発や製造のコストが増大する。
【０００７】
高解像度用の信号処理装置（信号処理ＬＳＩ）は、低解像度データにも対応できるので、上記のように個別に対応しないで、高解像度用の信号処理装置（信号処理ＬＳＩ）のみを製造し、これを低解像度対応の機器にも組み込む方法も考えられる。しかし、高解像度用の信号処理装置は、低解像度用の信号処理装置に比べてコストが高くなるので、これを低価格の低解像度対応の機器に組み込むのは、機器の価格に見合わないことになる。
【０００８】
そこで、図１０に示すように、図９のような低解像度用の信号処理ＬＳＩ７０を複数、例えば２個、入力画像データに対して並列に設けて、信号処理装置を構成し、これを低解像度対応の機器と高解像度対応の機器に共用することが考えられる。
【０００９】
具体的に、図１０の信号処理装置は、それぞれ低解像度用の２個の信号処理ＬＳＩ７０Ａおよび７０Ｂと、分割処理部８１および合成処理部８５とによって構成される。
【００１０】
そして、図１０に示す場合とは異なり、入力画像データが低解像度データである場合には、その低解像度の入力画像データが、そのまま分割処理部８１を通じて、画像データＳ１として、信号処理ＬＳＩ７０Ａに供給されて処理され、その処理後の画像データが、画像データＳ３として、そのまま合成処理部８５を通じて、低解像度の出力画像データとして取り出される。
【００１１】
一方、図１０に示すように入力画像データが高解像度データである場合には、その高解像度の入力画像データが、低解像度用の信号処理ＬＳＩ７０Ａおよび７０Ｂで処理できるように、分割処理部８１で、奇数画素（奇数番目の画素）の画像データと偶数画素（偶数番目の画素）の画像データとに分割され、または奇数ライン（奇数番目のライン）の画像データと偶数ライン（偶数番目のライン）の画像データとに分割される。
【００１２】
その奇数画素または奇数ラインの画像データＳ１が、信号処理ＬＳＩ７０Ａで処理され、偶数画素または偶数ラインの画像データＳ２が、信号処理ＬＳＩ７０Ｂで処理される。
【００１３】
そして、合成処理部８５で、信号処理ＬＳＩ７０Ａでの処理後の、奇数画素または奇数ラインの画像データＳ３と、信号処理ＬＳＩ７０Ｂでの処理後の、偶数画素または偶数ラインの画像データＳ４とが、画素またはラインごとに切り替え選択されることによって、全画素・全ラインの画像データに合成され、合成処理部８５から高解像度の出力画像データが得られる。
【００１４】
この方法によれば、信号処理ＬＳＩとして、図９のような低解像度用の信号処理ＬＳＩ７０のみを製造し、その信号処理ＬＳＩ７０を複数用い、簡単なスイッチ構成の分割処理部８１および合成処理部８５を付加するだけでよいので、図８のような高解像度用の信号処理ＬＳＩ６０と図９のような低解像度用の信号処理ＬＳＩ７０を個別に用意し、機器に応じて使い分ける方法に比べて、コストを低減することができる。
【００１５】
【特許文献１】
特開平７−２４０８６９号公報。
【００１６】
【発明が解決しようとする課題】
画像の信号処理としては、（１）注目画素（当該の画素）の処理後のデータを得るのに、同一フレーム内（ノンインターレース画像データの場合）または同一フィールド内（インターレース画像データの場合）の、水平方向（左右方向）または垂直方向（上下方向）の周辺画素のデータを必要とする信号処理、および（２）注目画素の処理後のデータを得るのに、同一フレーム内または同一フィールド内の、水平方向または垂直方向の周辺画素のデータを必要としない信号処理、がある。
【００１７】
（１）の信号処理としては、（１ａ）周辺画素データは必要とするが、１画面分の画像データを記憶保持するフレームメモリまたはフィールドメモリは必要としない、水平シャープネス、垂直シャープネス、解像度変換などの信号処理、および（１ｂ）周辺画素データを必要とし、かつフレームメモリまたはフィールドメモリを必要とする、動き適応インターレース／ノンインターレース変換などの信号処理、がある。
【００１８】
また、（２）の信号処理としては、（２ａ）周辺画素データも、フレームメモリまたはフィールドメモリも必要としない、画素ごとに処理される、ゲイン調整、バイアス調整などの信号処理、および（２ｂ）周辺画素データは必要としないが、フレームメモリまたはフィールドメモリを必要とする、フレームレート変換、フレーム倍速などの信号処理、がある。
【００１９】
しかしながら、図１０に示した方法では、同図のように入力画像データが高解像度データである場合には、分割処理部８１で、その高解像度の入力画像データを、奇数画素または奇数ラインの画像データＳ１と偶数画素または偶数ラインの画像データＳ２とに分割するので、信号処理ＬＳＩ７０Ａおよび７０Ｂでは、上記（１）、すなわち上記（１ａ）（１ｂ）の信号処理を行うことができない。
【００２０】
そこで、入力画像データが高解像度データである場合にも上記（１）の信号処理を行うことができる方法として、図１１に示すような方法が考えられる。
【００２１】
具体的に、図１１の信号処理装置は、それぞれ図９のような低解像度用の２個の信号処理ＬＳＩ７０Ａおよび７０Ｂと、それぞれラインメモリを用いた分割処理部９１および合成処理部９５とによって構成される。
【００２２】
そして、図１１に示す場合とは異なり、入力画像データが低解像度データである場合には、その低解像度の入力画像データが、そのまま分割処理部９１を通じて、画像データＳ５として、信号処理ＬＳＩ７０Ａに供給されて処理され、その処理後の画像データが、画像データＳ７として、そのまま合成処理部９５を通じて、低解像度の出力画像データとして取り出される。
【００２３】
一方、図１１に示すように入力画像データが高解像度データである場合には、その高解像度の入力画像データＳｉが、分割処理部９１で、高解像度用の高周波数のクロックによりラインメモリに書き込まれ、低解像度用の低周波数のクロック（高周波数のクロックの１／２の周波数のクロック）によりラインメモリから読み出されることによって、画面左半分に画面右半分中の左端部分αを加えた画像部分の画像データＳ５と、画面右半分に画面左半分中の右端部分βを加えた画像部分の画像データＳ６とに分割される。
【００２４】
図１１で、画像データＳ５およびＳ６の一つの升目の横幅が、入力画像データＳｉの一つの升目の横幅の２倍とされているのは、上記のようにクロック周波数が１／２に低減されたことを示している。
【００２５】
その主として画面左半分の画像データＳ５が、信号処理ＬＳＩ７０Ａで処理され、主として画面右半分の画像データＳ６が、信号処理ＬＳＩ７０Ｂで処理される。
【００２６】
そして、合成処理部９５で、信号処理ＬＳＩ７０Ａでの処理後の画像データＳ７中の、部分αを除く画面左半分の画像データと、信号処理ＬＳＩ７０Ｂでの処理後の画像データＳ８中の、部分βを除く画面右半分の画像データとが、低解像度用の低周波数のクロックによりラインメモリに書き込まれ、高解像度用の高周波数のクロック（低周波数のクロックの２倍の周波数のクロック）によりラインメモリから読み出されて、全画面の画像データに合成され、合成処理部９５から高解像度の出力画像データＳｏが得られる。
【００２７】
この方法によれば、入力画像データが高解像度データである場合、上記のように、分割処理部９１で、その高解像度の入力画像データＳｉを、主として画面左半分の画像データＳ５と主として画面右半分の画像データＳ６とに分割することによって、上記（１）の、周辺画素データを必要とする信号処理を行うことができる。
【００２８】
しかしながら、この方法では、分割処理部９１および合成処理部９５に、それぞれラインメモリを必要とし、信号処理装置の回路規模およびコストが増大する。
【００２９】
そこで、この発明は、上記（１）の、注目画素の処理後のデータを得るのに周辺画素のデータを必要とする信号処理を行うことができるとともに、信号処理装置の回路規模およびコストを低減することができるようにしたものである。
【００３０】
【課題を解決するための手段】
第１の発明の信号処理装置は、
入力画像データに対して、注目画素の処理後のデータを得るのに周辺画素のデータを必要とする第１種の信号処理を行うことができる前段処理部と、
この前段処理部の出力画像データ中の、一部の画素データを選択的に抽出し得る画素選択部と、
この画素選択部の出力画像データに対して、注目画素の処理後のデータを得るのに周辺画素のデータを必要としない第２種の信号処理を行うことができる後段処理部と、
を備えるものである。
【００３１】
第２の発明の信号処理装置は、
第１の発明の信号処理装置を、それぞれ信号処理装置部として複数、入力画像データに対して並列に備え、
それぞれの信号処理装置部の前記画素選択部において、互いに相補的に、前記前段処理部の出力画像データ中の一部の画素データが周期的に抽出され、
それぞれの信号処理装置部の前記後段処理部の出力画像データが、切り替え合成されて、信号処理後の出力画像データとして取り出されるものである。
【００３２】
第１の発明の信号処理装置は、前段処理部が、相対的に処理能力が高い高解像度対応、後段処理部が、相対的に処理能力が低い低解像度対応であり、全体としては、単独では低解像度用であって、前段処理部では、低解像度の入力画像データに対して、必要に応じて第１種の信号処理が実行され、画素選択部では、その前段処理部の出力画像データ中の、全ての画素データが抽出され、後段処理部では、その画素選択部を通じた前段処理部の出力画像データに対して、必要に応じて第２種の信号処理が実行される。
【００３３】
第２の発明の信号処理装置は、高解像度用であって、それぞれの信号処理装置部の前段処理部では、高解像度の入力画像データに対して、必要に応じて第１種の信号処理が実行される。
【００３４】
それぞれの信号処理装置部の画素選択部では、一つの画素選択部で奇数画素のデータが抽出され、もう一つの画素選択部で偶数画素のデータが抽出される、などというように、互いに相補的に、それぞれの信号処理装置部の前段処理部の出力画像データ中の、一部の画素データが周期的に抽出される。
【００３５】
それぞれの信号処理装置部の後段処理部では、それぞれの信号処理装置部の画素選択部の出力画像データに対して、必要に応じて第２種の信号処理が実行され、最終的に、信号処理後の出力画像データとしては、それぞれの信号処理装置部の後段処理部の出力画像データが切り替え合成された高解像度の画像データが得られる。
【００３６】
【発明の実施の形態】
〔第１の実施形態：図１および図２〕
図１は、この発明の信号処理装置の第１の実施形態を示し、低解像度用として用いる場合の例である。
【００３７】
この例の信号処理装置は、前段処理部２０、画素選択部３１、画素選択信号発生部３２および後段処理部４０によって構成され、信号処理ＬＳＩ１０として集積回路化される。
【００３８】
前段処理部２０は、高解像度対応で、相対的に処理能力の高い（処理速度が速い）、かつ、上記（１）の、注目画素の処理後のデータを得るのに周辺画素のデータを必要とする信号処理を行うことができるものとされ、後段処理部４０は、低解像度対応で、相対的に処理能力の低い（処理速度が遅い）、かつ、上記（２）の、注目画素の処理後のデータを得るのに周辺画素のデータを必要としない信号処理を行うことができるものとされる。
【００３９】
さらに、この例では、前段処理部２０は、上記（１ｂ）の信号処理を行うことができるように、信号処理部２１に画像メモリ（フレームメモリまたはフィールドメモリ）２２が接続されたものとされ、後段処理部４０は、上記（２ｂ）の信号処理を行うことができるように、信号処理部４１に画像メモリ４２が接続されたものとされる。
【００４０】
画素選択部３１は、画素選択信号発生部３２からの画素選択信号によって、前段処理部２０の出力画像データ中の、一部の画素データを選択的に抽出し得る回路部であり、画素選択信号発生部３２は、信号処理ＬＳＩ１０の外部から供給される水平同期信号、画素クロックおよび画素選択設定信号によって、画素選択信号を生成し、画素選択部３１に送出する回路部である。
【００４１】
この例の信号処理装置、すなわち信号処理ＬＳＩ１０は、単独で、低解像度用として用いることができる。その場合、画素選択設定信号は、全ての画素データを抽出することを指示するものとし、画素選択部３１では、全ての画素データが抽出されるように、信号処理ＬＳＩ１０を制御する。
【００４２】
具体的に、前段処理部２０では、低解像度の入力画像データに対して、必要に応じて上記（１）の信号処理が実行され、画素選択部３１では、その前段処理部２０の出力画像データ中の、全ての画素データが抽出され、後段処理部４０では、その画素選択部３１を通じた前段処理部２０の出力画像データに対して、必要に応じて上記（２）の信号処理が実行されて、後段処理部４０から、信号処理後の低解像度の出力画像データが得られる。
【００４３】
この信号処理装置は、前段処理部２０のみを高解像度対応とするので、後述するように、前段処理部２０の回路規模が後段処理部４０の回路規模に比べて小さい場合に特に効果的である。
【００４４】
図２に、このように前段処理部２０の回路規模が後段処理部４０の回路規模に比べて小さい場合の例を示す。
【００４５】
この例は、上記（２）の信号処理としては、上記（２ｂ）の信号処理を行い、上記（１）の信号処理としては、上記（１ｂ）の信号処理を行わない場合であり、そのため、後段処理部４０は、画像メモリ４２を備えるものとし、前段処理部２０は、画像メモリを備えないものとする場合である。
【００４６】
なお、画像メモリ２２および４２は、図１または図２の例のように信号処理ＬＳＩ１０内に構成することが望ましいが、外部接続でもよい。
【００４７】
〔第２の実施形態：図３〜図７〕
図３は、この発明の信号処理装置の第２の実施形態を示し、高解像度用として用いる場合の例である。
【００４８】
この例は、低解像度対応の後段処理部４０の処理能力が、高解像度対応の前段処理部２０の処理能力の１／２の場合で、図１または図２の例のような信号処理ＬＳＩ１０を、信号処理ＬＳＩ１１および１２として示すように２個、入力画像データに対して並列に設け、信号処理ＬＳＩ１１および１２の出力側に、切り替え回路５０を設けたものである。
【００４９】
この例の信号処理装置は、高解像度用として用いることができる。その場合、信号処理ＬＳＩ１１に対する画素選択設定信号を、各ラインの奇数画素（奇数番目の画素）のデータを抽出することを指示するものとし、信号処理ＬＳＩ１２に対する画素選択設定信号を、各ラインの偶数画素（偶数番目の画素）のデータを抽出することを指示するものとして、信号処理ＬＳＩ１１の画素選択部３１では、奇数画素のデータが抽出され、信号処理ＬＳＩ１２の画素選択部３１では、偶数画素のデータが抽出されるように、信号処理装置を制御する。
【００５０】
具体的に、信号処理ＬＳＩ１１および１２の前段処理部２０では、それぞれ、図４（Ａ）に概略的に示すような高解像度の入力画像データＳｉに対して、必要に応じて上記（１）の信号処理が実行される。すなわち、信号処理ＬＳＩ１１および１２の前段処理部２０では、全く同じ信号処理が実行される。
【００５１】
そして、信号処理ＬＳＩ１１の画素選択部３１では、画素選択信号発生部３２からの図５に示すような奇数画素選択信号Ｓｐによって、信号処理ＬＳＩ１１の前段処理部２０の出力画像データＳａから、図４（Ｂ）に概略的に示すような奇数画素データＳｅが抽出され、信号処理ＬＳＩ１１の後段処理部４０では、この奇数画素データＳｅに対して、必要に応じて上記（２）の信号処理が実行される。
【００５２】
これと並行して、信号処理ＬＳＩ１２の画素選択部３１では、画素選択信号発生部３２からの図５に示すような偶数画素選択信号Ｓｑによって、信号処理ＬＳＩ１２の前段処理部２０の出力画像データＳｂから、図４（Ｃ）に概略的に示すような偶数画素データＳｆが抽出され、信号処理ＬＳＩ１２の後段処理部４０では、この偶数画素データＳｆに対して、必要に応じて上記（２）の信号処理が実行される。
【００５３】
そして、信号処理ＬＳＩ１１の後段処理部４０から処理後の奇数画素データＳｊが得られるタイミングでは、切り替え回路５０が信号処理ＬＳＩ１１側に切り替えられて、切り替え回路５０から奇数画素データＳｊが取り出され、信号処理ＬＳＩ１２の後段処理部４０から処理後の偶数画素データＳｋが得られるタイミングでは、切り替え回路５０が信号処理ＬＳＩ１２側に切り替えられて、切り替え回路５０から偶数画素データＳｋが取り出される。
【００５４】
すなわち、切り替え回路５０によって、信号処理ＬＳＩ１１の出力の奇数画素データＳｊと信号処理ＬＳＩ１２の出力の偶数画素データＳｋが合成されて、切り替え回路５０から、信号処理後の高解像度の出力画像データＳｏが得られる。
【００５５】
以上のように、図３の例の信号処理装置は、高解像度用として用いることができ、しかも、図１０に示した信号処理装置とは異なり、信号処理ＬＳＩ１１および１２の画素選択部３１で奇数画素データＳｅと偶数画素データＳｆとに分割する前に、信号処理ＬＳＩ１１および１２の前段処理部２０で上記（１）の信号処理を行うことができる。
【００５６】
さらに、信号処理ＬＳＩ１１および１２の画素選択部３１および画素選択信号発生部３２、および切り替え回路５０は、簡単なスイッチ、ゲートまたはカウンタによって構成することができ、図１１に示した信号処理装置の分割処理部９１および合成処理部９５とは異なり、ラインメモリを必要としないので、この発明によれば、信号処理装置の回路規模およびコストを低減することができる。
【００５７】
これにつき、図１１の信号処理装置を低解像度用および高解像度用に用いる場合（以下、旧方法と称する）と、この発明のように、図１の例の信号処理装置（信号処理ＬＳＩ１０）を低解像度用に用い、図３の例の信号処理装置を高解像度用に用いる場合（以下、新方法と称する）とを比較する。
【００５８】
低解像度用については、上記（１）の信号処理のための回路規模を１、上記（２）の信号処理のための回路規模を２とし、高解像度用については、上記（１）の信号処理のための回路規模を２、上記（２）の信号処理のための回路規模を４とする。
【００５９】
図１１の信号処理装置は、信号処理ＬＳＩ７０Ａおよび７０Ｂが、それぞれ低解像度用であり、かつ上記（１）および上記（２）の信号処理を行うので、信号処理ＬＳＩ７０Ａ，７０Ｂを合わせた回路規模は、２×（１＋２）＝６となり、分割処理部９１の回路規模をＡ、合成処理部９５の回路規模をＢとすると、信号処理装置全体の回路規模は、（６＋Ａ＋Ｂ）となる。この信号処理装置を、低解像度用および高解像度用に用いると、低解像度用と高解像度用を合わせた回路規模は、２（６＋Ａ＋Ｂ）＝１２＋２Ａ＋２Ｂとなる。
【００６０】
これに対して、図１の例の信号処理装置（信号処理ＬＳＩ１０）は、前段処理部２０が、高解像度対応で、かつ上記（１）の信号処理を行うので、前段処理部２０の回路規模は２となり、後段処理部４０が、低解像度対応で、かつ上記（２）の信号処理を行うので、後段処理部４０の回路規模は２となり、画素選択部３１と画素選択信号発生部３２を合わせた回路規模をＸとすると、信号処理装置（信号処理ＬＳＩ１０）全体の回路規模は、（４＋Ｘ）となる。
【００６１】
また、図３の例の信号処理装置は、図１の例の信号処理装置（信号処理ＬＳＩ１０）を２個設け、切り替え回路５０を付加したものであるので、切り替え回路５０の回路規模をＹとすると、信号処理装置全体の回路規模は、２（４＋Ｘ）＋Ｙ＝８＋２Ｘ＋Ｙとなる。
【００６２】
したがって、低解像度用には図１の例の信号処理装置（信号処理ＬＳＩ１０）を用い、高解像度用には図３の例の信号処理装置を用いると、低解像度用と高解像度用を合わせた回路規模は、（４＋Ｘ）＋（８＋２Ｘ＋Ｙ）＝１２＋３Ｘ＋Ｙとなる。
【００６３】
そして、上記のようにＸ，ＹはＡ，Ｂに比べて十分に小さいので、（２Ａ＋２Ｂ）＞（３Ｘ＋Ｙ）となり、新方法による場合の低解像度用と高解像度用を合わせた回路規模は、旧方法による場合の低解像度用と高解像度用を合わせた回路規模より小さくなる。
【００６４】
なお、図２の例のように前段処理部２０の回路規模が後段処理部４０の回路規模に比べて小さい場合には、新方法による場合の低解像度用と高解像度用を合わせた回路規模が、上記の（１２＋３Ｘ＋Ｙ）より小さくなり、この発明による場合の回路規模およびコストの低減効果が、より大きくなる。
【００６５】
図３の例は、後段処理部４０の処理能力が前段処理部２０の処理能力の１／２の場合であるが、後段処理部４０の処理能力が前段処理部２０の処理能力の１／４，１／６，１／８などである場合にも、この発明を適用することができる。
【００６６】
図６に、高解像度の画像データを、水平方向および垂直方向に２分割ずつ、４分割する場合の例を示す。
【００６７】
この例では、図１または図２の例のような信号処理ＬＳＩ１０を、信号処理ＬＳＩ１１〜１４として示すように４個、入力画像データに対して並列に設け、信号処理ＬＳＩ１１〜１４の出力側に、切り替え回路５０を設け、信号処理ＬＳＩ１１の画素選択部３１では、奇数ライン（奇数番目のライン）の奇数画素のデータが抽出され、信号処理ＬＳＩ１２の画素選択部３１では、奇数ラインの偶数画素のデータが抽出され、信号処理ＬＳＩ１３の画素選択部３１では、偶数ライン（偶数番目のライン）の奇数画素のデータが抽出され、信号処理ＬＳＩ１４の画素選択部３１では、偶数ラインの偶数画素のデータが抽出されるように、信号処理装置を制御する。
【００６８】
具体的に、信号処理ＬＳＩ１１〜１４の前段処理部２０では、それぞれ、図７（Ａ）に概略的に示すような高解像度の入力画像データＳｉに対して、必要に応じて上記（１）の信号処理が実行される。
【００６９】
そして、信号処理ＬＳＩ１１の画素選択部３１では、画素選択信号発生部３２からの画素選択信号によって、信号処理ＬＳＩ１１の前段処理部２０の出力画像データＳａから、図７（Ｂ）に概略的に示すような奇数ラインの奇数画素のデータＳｅが抽出され、信号処理ＬＳＩ１１の後段処理部４０では、このデータＳｅに対して、必要に応じて上記（２）の信号処理が実行される。
【００７０】
これと並行して、信号処理ＬＳＩ１２の画素選択部３１では、画素選択信号発生部３２からの画素選択信号によって、信号処理ＬＳＩ１２の前段処理部２０の出力画像データＳｂから、図７（Ｃ）に概略的に示すような奇数ラインの偶数画素のデータＳｆが抽出され、信号処理ＬＳＩ１２の後段処理部４０では、このデータＳｆに対して、必要に応じて上記（２）の信号処理が実行される。
【００７１】
これと並行して、信号処理ＬＳＩ１３の画素選択部３１では、画素選択信号発生部３２からの画素選択信号によって、信号処理ＬＳＩ１３の前段処理部２０の出力画像データＳｃから、図７（Ｄ）に概略的に示すような偶数ラインの奇数画素のデータＳｇが抽出され、信号処理ＬＳＩ１３の後段処理部４０では、このデータＳｇに対して、必要に応じて上記（２）の信号処理が実行される。
【００７２】
これと並行して、信号処理ＬＳＩ１４の画素選択部３１では、画素選択信号発生部３２からの画素選択信号によって、信号処理ＬＳＩ１４の前段処理部２０の出力画像データＳｄから、図７（Ｅ）に概略的に示すような偶数ラインの偶数画素のデータＳｈが抽出され、信号処理ＬＳＩ１４の後段処理部４０では、このデータＳｈに対して、必要に応じて上記（２）の信号処理が実行される。
【００７３】
そして、切り替え回路５０によって、信号処理ＬＳＩ１１〜１４の後段処理部４０の出力の処理後のデータＳｊ，Ｓｋ，Ｓｌ，Ｓｍが合成されて、切り替え回路５０から、信号処理後の高解像度の出力画像データＳｏが得られる。
【００７４】
図３または図６の例のような信号処理装置は、低解像度用にも用いることができる。例えば、高解像度と低解像度の両方に対応した機器では、図３または図６の例のような信号処理装置を組み込むと、好適である。
【００７５】
この場合、高解像度用に用いる場合には、上述したように信号処理装置を制御し、低解像度用に用いる場合には、一つの信号処理ＬＳＩ１１が、図１または図２の例のような信号処理ＬＳＩ１０と同様に動作し、その信号処理ＬＳＩ１１の出力画像データが、信号処理後の低解像度の出力画像データとして、切り替え回路５０を通じて取り出されるように、信号処理装置を制御する。
【００７６】
図３および図６の例は、それぞれ前段処理部２０、画素選択部３１、画素選択信号発生部３２および後段処理部４０からなる信号処理装置部を、それぞれ信号処理ＬＳＩとして構成する場合であるが、これら複数の信号処理装置部と切り替え回路５０を含む信号処理装置全体を、ワンチップＬＳＩ内に構成してもよい。
【００７７】
【発明の効果】
上述したように、この発明によれば、注目画素の処理後のデータを得るのに周辺画素のデータを必要とする信号処理を行うことができるとともに、信号処理装置の回路規模およびコストを低減することができる。
【図面の簡単な説明】
【図１】この発明の信号処理装置の一例を示す図である。
【図２】この発明の信号処理装置の一例を示す図である。
【図３】この発明の信号処理装置の一例を示す図である。
【図４】図３の信号処理装置の説明に供する図である。
【図５】図３の信号処理装置の説明に供する図である。
【図６】この発明の信号処理装置の一例を示す図である。
【図７】図６の信号処理装置の説明に供する図である。
【図８】従来の高解像度用の信号処理装置を示す図である。
【図９】従来の低解像度用の信号処理装置を示す図である。
【図１０】考えられる信号処理装置の一例を示す図である。
【図１１】考えられる信号処理装置の一例を示す図である。
【符号の説明】
主要部については図中に全て記述したので、ここでは省略する。
【図１】
2005006048.tif 000003
【図２】
2005006048.tif 000004
【図３】
2005006048.tif 000005
【図４】
2005006048.tif 000006
【図５】
2005006048.tif 000007
【図６】
2005006048.tif 000008
【図７】
2005006048.tif 000009
【図８】
2005006048.tif 000010
【図９】
2005006048.tif 000011
【図１０】
2005006048.tif 000012
【図１１】
2005006048.tif 000013